(57)【要約】【課題】特に団体で行われるスポーツ等の興行の観覧において、初心者にとって理解の助けとなり、熟知者にとっても初心者に説明をし易くするための情報表示具を提供する。【解決手段】個人に関する情報を表示する情報表示部と粘着剤を施した粘着部１４ａとを有する第１部材１０と、粘着部１４ａが被着される被着部２２を有する第２部材２０と、からなり、第１部材１０は、所定の関連を有する個人ごとに複数備えられる。【選択図】図５
2018010182.tif 000002
【特許請求の範囲】
【請求項１】
個人に関する情報を表示する情報表示部と粘着剤を施した粘着部とを有する第１部材と、
前記粘着部が被着される被着部を有する第２部材と、からなり、
前記第１部材は、所定の関連を有する個人ごとに複数備えられることを特徴とする情報表示具。
【請求項２】
前記粘着剤は、再剥離可能且つ再貼付可能な粘着剤であることを特徴とする請求項１に記載の情報表示具。
【請求項３】
前記被着部を剥離層とすることを特徴とする請求項１又は２に記載の情報表示具。
【請求項４】
前記被着部に、所定のスポーツのフィールドを模したフィールド情報を表示したことを特徴とする請求項１乃至３のいずれか１項に記載の情報表示具。
【請求項５】
前記第１部材は、シート状であって、所定の位置で折り曲げるための折り曲げ部を備え、前記折り曲げ部により区分けされる複数の面部分のうち、いずれか一の面部分を前記粘着部としたことを特徴とする請求項１乃至４のいずれか１項に記載の情報表示具。
【請求項６】
前記第１部材は、当初、所定の第３部材に再剥離および再貼付可能に貼付された状態であることを特徴とする請求項１乃至５のいずれか１項に記載の情報表示具。
【発明の詳細な説明】
【技術分野】
【０００１】
本発明は、例えば、スポーツ観戦において、そのスポーツや出場選手に疎い人にもそれらに係る情報を理解しやすくするための、情報表示具に関する。
【背景技術】
【０００２】
従来から、スポーツ観戦等の来場者向けに、対戦する選手もしくはチームに関する情報が掲載された印刷物が販売若しくは配布されている。
【０００３】
具体的には、当該印刷物には、サッカーやラグビー等のチームスポーツであれば、チームに関する本拠地や設立からの経緯に関する情報や、所属するチームメンバー各々の、氏名、出身校、顔写真、背番号、ポジション等といった情報が適宜掲載されるものである。
【発明の概要】
【発明が解決しようとする課題】
【０００４】
しかしながら、上記印刷物は、来場者にとって、必ずしも分かり易いものではなく、また、実際のスポーツ観戦時に役に立つものとは言い難かった。特に、その観戦するスポーツについて、あまり馴染みがなく、前提となる知識が乏しい者、いわゆる初心者にとっては、実際に出場している選手がどの選手なのか、どのポジションなのか、といった詳細な情報が、分かり難かった。
【０００５】
一般に、そうした初心者は、そのスポーツの愛好者又は知識の豊富な者（熟知者）と同行して観戦に訪れることが多い。こういった熟知者が、初心者に説明及び解説をしたい場合にも、チーム情報や選手情報が単に羅列された印刷物だけでは、的確に説明することが困難であった。
【課題を解決するための手段】
【０００６】
本発明は、上記課題に鑑みなされたものであり、以下の手段を備える情報表示具である。
（１）個人に関する情報を表示する情報表示部と粘着剤を施した粘着部とを有する第１部材と、前記粘着部が被着される被着部を有する第２部材と、からなり、前記第１部材は、所定の関連を有する個人ごとに複数備えられることを特徴とする。
（２）前記粘着剤は、再剥離可能且つ再貼付可能な粘着剤であることを特徴とする。
（３）前記被着部を剥離層とすることを特徴とする。
（４）前記被着部に、所定のスポーツのフィールドを模したフィールド情報を表示したことを特徴とする。
（５）前記第１部材は、シート状であって、所定の位置で折り曲げるための折り曲げ部を備え、前記折り曲げ部により区分けされる複数の面部分のうち、いずれか一の面部分を前記粘着部としたことを特徴とする。
（６）前記第１部材は、当初、所定の第３部材に再剥離および再貼付可能に貼付された状態であることを特徴とする。
【発明の効果】
【０００７】
第１の発明によれば、第１部材が、所定の選手毎に複数用意されているので、例えば、実際に出場している選手のみピックアップし、第２部材の被着部の所定位置に貼り付けることで、初心者にとって、出場している選手がどの選手か分かり易く、またその選手に関する情報に注目できる。
【０００８】
第２の発明によれば、第１部材の粘着剤を、再剥離、再貼付可能なものとするので、例えば、スターティングメンバーをピックアップし、第２部材の被着部に貼り付けした後、選手交代が生じた場合に、退場選手に該当する第１部材を被着部から剥離し、入場選手に該当する第１部材を被着部に貼り付ける、などといった作業を用意に行うことができ、かつ初心者にとっても、交代した選手が分かり易い。
【０００９】
第３の発明によれば、第１部材の粘着部に使用される粘着剤が再剥離、再貼付不可のものであっても、上記のような選手交代時等における被着部から第１部材の剥離が必要となった場合に剥離作業が容易である。
【００１０】
第４の発明によれば、選手に関する第１部材を貼り付けるための被着部に、該当スポーツのフィールドを模したフィールド情報を表示するため、そのフィールド情報上の適格な位置に選手を示す第１部材を貼り付けることにより、初心者にとって、出場選手と、その選手のポジションの位置が、より分かり易くなる。
【００１１】
第５の発明によれば、第１部材を所定の位置で折り曲げて、被着部に設置できるので、立体的で見易いものとなり、かつ、第１部材を貼り付けた場合に被着部に占める第１部材の粘着部の面積を狭くできるため、小型化に資する。
【００１２】
第６の発明によれば、第１部材は、当初、例えば台紙などの第３部材にまとめて貼付された状態で来場者等に提供されるため、出場選手以外の選手に該当する第１部材を数多くその第３部材に設けることができるほか、選手交代等があった場合の退場選手に該当する第１部材の置き場として利用することができる。
【図面の簡単な説明】
【００１３】
【図１】第１部材が提供される際の一例を示した図である。
【図２】第１部材の一例を示す斜視図である。
【図３】第２部材の一例を示す斜視図である。
【図４】第２部材の積層の一例を示す概念図である。
【図５】使用時の状態の一例を示す斜視図である。
【発明を実施するための形態】
【実施例１】
【００１４】
＜第１部材＞
本発明に係る実施例につき、以下、図面を参照しつつ説明する。まず選手に関する情報を各々表示するための第１部材について、図１および図２を参照しつつ説明する。所定スポーツ競技に出場する一選手の情報を示す第１部材１０と、該複数の第１部材を所定の台紙３０に貼付した状態を示すものである。ここでは、所定のスポーツとはサッカーとして説明することとする。
【００１５】
第１部材１０は、出場する一選手毎の情報を表示するためのものであり、少なくともその一部を粘着剤が施された粘着部とするものである。第１部材１０の粘着部１４ａに使用される粘着剤は、一般的に粘着テープやラベルの貼付等に使用されているアクリル系又はゴム系の粘着剤を適宜用いればよいが、後述するように、再剥離および再貼付を必要とすることがあるので、再剥離再貼付可能な粘着剤を用いるのが望ましい。
【００１６】
台紙３０は、当初、第１部材を貼付しておくための被着体としての第３部材としての役割を果たす。台紙３０側の第１部材１０の粘着部１４ａとの接着面は、第１部材１０の粘着部１４ａにおける接着剤の粘着力を損なわないよう、シリコーン樹脂等からなる剥離層としておくのがよい。
【００１７】
第１部材１０は、図４ａおよび図４ｂに示すように、所定の位置で折り曲げするための折曲部１２を有する。折曲部１２は、利用者にとって、折り曲げするための位置が分かればよいので、ミシン目のように切込みを施してもよいし、単に目安となるように、線や点線を印刷しておくようにしてもよい。
【００１８】
折曲部１２を一箇所設けたとすると、当該折曲部１２により区画されて、面部分１４ａ、１４ｂ、１４ｃおよび１４ｄが形成される。本実施例における例では、面部分１４ａを粘着部として、残りの面部分１４ｂ、１４ｃおよび１４ｄの少なくとも１面を選手に関する情報を表示するための情報表示部としている。
【００１９】
当該情報表示部には、一選手の、氏名、顔写真、背番号、ポジションなどから任意の情報が印刷等により表示される。当該情報表示部は、後述する第２部材に貼付するときのつまみ部分として利用できるように、粘着剤を施さない非粘着部とするのが望ましい。
【００２０】
情報の表示箇所は、任意に設定してよい。例えば、面部分１４ｂに、氏名、背番号等といった複数の情報を掲載してもよいし、１４ｂには背番号、１４ｃに氏名、１４ｄに顔写真などいったように、一の面部分に対して一の情報を表示するようにしてもよい。
【００２１】
第１部材１０の材質は、切断、折曲、といった加工を施しやすい素材であれば特に限定するものではなく、例えば、紙、樹脂、合成樹脂、アルミニウム等の軽金属の薄板状物等、またはこれらを適宜積層してなるものであってよい。
【００２２】
＜第２部材＞
図３および図４に示すように、第２部材２０は、第１部材１０を貼付する被着部２２を有する。第２部材２０の材質は、加工および印刷を施し易い材質が望ましく、例えば、紙、樹脂、合成樹脂、アルミニウム等の軽金属等であってよい。
【００２３】
第２部材２０は、上記のような材質からなる、基部２８の他、印刷部２６、剥離層２４等を適宜設けても良い。印刷部２６として、基部２８に、サッカーフィールドを模したフィールド情報を印刷し表示するようにしてもよい。サッカーフィールドを模したフィールドを被着部２２において視認可能に表示することにより、後述するように、第１部材１０を当該第２部材２０の被着部２２に設置した際に、各選手のポジションや、相互に位置関係が初心者にとって理解しやすいものとなる。
【００２４】
また、剥離層２４を設けることにより、選手交代等により被着部２２に一旦貼付をした第１部材１０を剥離する必要が生じた場合に、第１部材１０を剥離し易くすることができ、かつ、当該第１部材１０の粘着部１２の粘着力を損ない難くすることができる。
【００２５】
＜使用＞
上記第２部材２０と、第３部材としての台紙３０に複数貼付された第１部材１０とを一組として提供された場合、スポーツ観戦者は、出場選手に該当する第１部材１０を台紙３０から剥離し、折曲部１２にて所定の折り曲げ作業をした後、粘着部１４ａをもって第２部材２０の被着部２２に、順次、貼付をする。サッカーの場合、出場メンバー数は１１人であるので、１１の第１部材１０が、第２部材２０の被着部２２に貼付されることなる（図５）。
【００２６】
図５に示すように、出場選手を示す第１部材１０それぞれを、ポジションに応じた位置に貼付配置することにより、初心者にとって選手同士の相対的な位置関係が分かり易くなる。また、例えば、面部分１４ｂに選手の背番号、１４ｃに選手氏名、１４ｄに顔写真を表示するなどすれば、実際にプレイしている出場選手と結び付け易くなるため、一層、初心者にとって分かり易いものとなる。
【００２７】
また、上記のように、第２部材２０の被着部２２において視認できるように、フィールド情報を印刷部２６に施すことにより、位置関係が一層分かり易いものとなる。また、第１部材１０の粘着部１４ａの粘着剤を再剥離再貼付可能な粘着剤とするので、出場選手のポジション変更や交代等による選手の入退が生じても、第１部材１０を粘着部１２の粘着力を損なわず、容易に移動または変更することができる。
【００２８】
上記のように、本発明によれば、スポーツ観戦における出場選手の情報、出場選手のポジションおよび相対位置および選手の入退場等について、初心者にとって理解が容易となると共に、熟知者にとっては、初心者に分かり易く説明するためのツールとすることができるものである。
【００２９】
これまで、本発明について説明してきたが、本発明はこの例に限定されない。第３部材を台紙３０（紙）として説明したが、勿論これに限定するものではない。第１部材等と同様に、各種の紙の他、樹脂、合成樹脂、アルミニウム等の軽金属等であってもよい。
【００３０】
上記説明では、サッカーを挙げて説明してきたが、勿論、これに限定されない。スポーツ競技であれば、サッカーの他、バスケットボール、野球、ラグビー、ラクロス、水球、バレーボール、ハンドボール等、あらゆるチームスポーツに応用することができる。
【００３１】
また、スポーツ競技だけでなく、オーケストラや歌劇等の各メンバーの情報を第１部材１０の情報表示部に示し、ステージ上における位置関係において第２部材に設置するなどすれば、音楽の分野にも利用可能である。
【００３２】
第２部材２０は、材質を所定の紙材とし、且つ、所定の大きさとして、被着面２２の裏面に郵便番号や住所記入箇所を設けて、ハガキとして利用できるようにしてもよい。こうすることで、スポーツ観戦等の興行が終わった後でも実用的なものとなる。
【符号の説明】
【００３３】
１０  第１部材
１２  折曲部
１４ａ  粘着部
２０  第２部材
２２  被着部
３０  台紙
【図１】
2018010182.tif 000003
【図２】
2018010182.tif 000004
【図３】
2018010182.tif 000005
【図４】
2018010182.tif 000006
【図５】
2018010182.tif 000007